(57)【要約】【課題】  セキュリティ対策が施され、手軽かつ安全に画像データ共有を可能とする通信機能を備えたディジタルカメラを提供する。【解決手段】  ユーザ固有の生体情報を読取る生体情報読取手段と、カメラ固有の機器ＩＤを用いて画像フォルダを管理する手段と、外部のサーバコンピュータに対してユーザが指定した画像フォルダ内の画像データについて前記機器ＩＤを付加して転送し記憶させる手段と、前記生体情報読取り手段で読取った生体情報と関連付けてユーザ情報を記憶手段に登録する手段と、電源の投入時に前記生体情報読取り手段により読取った生体情報によってカメラの使用者を認証する手段と、前記サーバコンピュータ内に記憶された任意の画像データについてカメラ固有の機器ＩＤを指定して前記サーバコンピュータから取得する手段と、他のユーザが所有するディジタルカメラとの間で赤外線通信により画像データを送受する手段とを備える。【選択図】      図７
2011199807.tif 000002
【特許請求の範囲】
【請求項１】
ユーザ固有の生体情報を読取る生体情報読取手段と、カメラ固有の機器ＩＤを用いて画像フォルダを管理する手段と、外部のサーバコンピュータに対してユーザが指定した画像フォルダ内の画像データについて前記機器ＩＤを付加して転送し記憶させる手段と、前記生体情報読取り手段で読取った生体情報と関連付けてユーザ情報を記憶手段に登録する手段と、電源の投入時に前記生体情報読取り手段により読取った生体情報及びユーザに入力されたユーザ情報が前記記憶手段に予め登録されたものであるかによってカメラの使用者を認証する手段と、前記サーバコンピュータ内に記憶された任意の画像データについてカメラ固有の機器ＩＤを指定して前記サーバコンピュータから取得する手段と、他のユーザが所有するディジタルカメラとの間で赤外線通信により画像データを送受する手段とを備えることを特徴とするディジタルカメラ。
【請求項２】
複数のディジタルカメラと画像データベースを備えたサーバコンピュータとから成る画像データ共有システムであて、
前記ディジタルカメラのそれぞれは、ユーザ固有の生体情報を読取る生体情報読取手段と、カメラ固有の機器ＩＤを用いて画像フォルダを管理する手段と、外部のサーバコンピュータに対してユーザが指定した画像フォルダ内の画像データについて前記機器ＩＤを付加して転送し記憶させる手段と、前記生体情報読取り手段で読取った生体情報と関連付けてユーザ情報を記憶手段に登録する手段と、電源の投入時に前記生体情報読取り手段により読取った生体情報及びユーザに入力されたユーザ情報が前記記憶手段に予め登録されたものであるかによってカメラの使用者を認証する手段と、前記サーバコンピュータ内に記憶された任意の画像データについてカメラ固有の機器ＩＤを指定して前記サーバコンピュータから取得する手段と、他のユーザが所有するディジタルカメラとの間で赤外線通信により画像データを送受する手段とを備え、
前記サーバコンピュータは、前記それぞれのディジタルカメラから機器ＩＤが付加された画像データを受信し、前記画像データベースの機器ＩＤ別の画像フォルダに格納すると共に、機器ＩＤで指定された画像フォルダ内から前記ディジタルカメラのユーザから指定された画像データを読み出し、前記ディジタルカメラに返信する手段とを備えることを特徴とする画像データ共有システム。
【発明の詳細な説明】
【技術分野】
【０００１】
本発明は、通信ネットワークを介してデータサーバと通信し、画像データの送受信を行う機能を備えたディジタルカメラ並びにこのディジタルカメラを利用して画像データを複数のユーザで共有する画像データ共有システムに関するものである。
【背景技術】
【０００２】
近年、写真を撮影する手段として、持ち運びが便利で画質の良いディジタルカメラが主流となっている。特に旅行先では、思い出を記録するために必要不可欠なツールとなっている。
最近は、通信機能を備え、ディジタルカメラで撮影された画像データをカメラ内のメモリに保存せずに、外部のサーバコンピュータ等に送信して外部のサーバコンピュータ内のメモリに保存するディジタルカメラが提案されている。これにより、カメラ内には最低限のメモリを用意するだけでメモリを気にせずに大量の撮影を可能にしている。
【０００３】
下記の特許文献１には、画像データを送信するディジタルカメラにおいて、通信費用や通信トラフィックを極力排除することを目的としたディジタルカメラが提案されている。即ち、送信有無を促す表示手段や、外部装置内のデータを一定期間で削除するなどの画像保存手段を構成することで、外部装置への通信を必要最小限とするものである。
【先行技術文献】
【特許文献】
【０００４】
【特許文献１】特開２００４−３０４７３０号公報
【発明の概要】
【発明が解決しようとする課題】
【０００５】
通信機能を備えたディジタルカメラでは、撮影した画像データをサーバコンピュータに転送しておくことにより、内部メモリの記憶容量不足を気にすることなく大量の撮影がかのうである。しかしながら、紛失や盗難に遭遇した場合に、個人情報が流出する危険性がある。
【０００６】
本発明の目的は、通信機能を備えたディジタルカメラにおいて、セキュリティ対策が施され、手軽かつ安全に画像データ共有を可能とする機能を備えたディジタルカメラ及びこれを利用した画像データ共有システムを提供することにある。
【課題を解決するための手段】
【０００７】
上記目的を達成するために、本発明に係るディジタルカメラは、ユーザ固有の生体情報を読取る生体情報読取手段と、カメラ固有の機器ＩＤを用いて画像フォルダを管理する手段と、外部のサーバコンピュータに対してユーザが指定した画像フォルダ内の画像データについて前記機器ＩＤを付加して転送し記憶させる手段と、前記生体情報読取り手段で読取った生体情報と関連付けてユーザ情報を記憶手段に登録する手段と、電源の投入時に前記生体情報読取り手段により読取った生体情報及びユーザに入力されたユーザ情報が前記記憶手段に予め登録されたものであるかによってカメラの使用者を認証する手段と、前記サーバコンピュータ内に記憶された任意の画像データについてカメラ固有の機器ＩＤを指定して前記サーバコンピュータから取得する手段と、他のユーザが所有するディジタルカメラとの間で赤外線通信により画像データを送受する手段とを備えることを特徴とする。
【０００８】
また、本発明に係る画像データ共有システムは、複数のディジタルカメラと画像データベースを備えたサーバコンピュータとから成り、
前記ディジタルカメラのそれぞれは、ユーザ固有の生体情報を読取る生体情報読取手段と、カメラ固有の機器ＩＤを用いて画像フォルダを管理する手段と、外部のサーバコンピュータに対してユーザが指定した画像フォルダ内の画像データについて前記機器ＩＤを付加して転送し記憶させる手段と、前記生体情報読取り手段で読取った生体情報と関連付けてユーザ情報を記憶手段に登録する手段と、電源の投入時に前記生体情報読取り手段により読取った生体情報及びユーザに入力されたユーザ情報が前記記憶手段に予め登録されたものであるかによってカメラの使用者を認証する手段と、前記サーバコンピュータ内に記憶された任意の画像データについてカメラ固有の機器ＩＤを指定して前記サーバコンピュータから取得する手段と、他のユーザが所有するディジタルカメラとの間で赤外線通信により画像データを送受する手段とを備え、
前記サーバコンピュータは、前記それぞれのディジタルカメラから機器ＩＤが付加された画像データを受信し、前記画像データベースの機器ＩＤ別の画像フォルダに格納すると共に、機器ＩＤで指定された画像フォルダ内から前記ディジタルカメラのユーザから指定された画像データを読み出し、前記ディジタルカメラに返信する手段とを備えることを特徴とする。
【発明の効果】
【０００９】
本発明によれば、次のような効果がある。
（１）ディジタルカメラが紛失や盗難に遭遇した場合でも、指紋認証によってカメラは操作できず、個人情報が流出する可能性は極めて低くなる。
（２）サーバコンピュータの画像データベースに画像データを登録するため、カメラ内のメモリを使用することはほとんどなくなり、メモリ不足により写真が保存できず、古い画像データを消去するといった作業が少なくなる。
（３）カメラ固有の機器ＩＤを利用して、画像データベースの画像データを管理するため、別のカメラで撮影した画像データであっても、機器ＩＤの許可があれば、自分のカメラ本体で参照し、他のユーザとの間で画像データを共有することができる。
【図面の簡単な説明】
【００１０】
【図１】本発明におけるディジタルカメラの背面図である。
【図２】カメラの内部構成を示すブロック図である。
【図３】本体メモリに保存されているユーザ情報のデータ構成図である。
【図４】本体メモリに保存されているフォルダ情報のデータ構成図である。
【図５】画像通信システムの概略構成を示すブロック図である。
【図６】データベースに保存されている画像データ情報のデータ構成図である。
【図７】電源ＯＮから電源ＯＦＦまでの流れを示すフローチャートである。
【図８】管理者を登録および変更する流れを示すフローチャートである。
【図９】メンバーを更新する流れを示すフローチャートである。
【図１０】新規フォルダを作成する流れを示すフローチャートである。
【図１１】共有フォルダを登録する流れを示すフローチャートである。
【図１２】画像データを保存する流れを示すフローチャートである。
【図１３】画像データを参照および削除する流れを示すフローチャートである。
【図１４】本体メモリに保存されている画像データを転送する流れを示すフローチャートである。
【発明を実施するための形態】
【００１１】
図１は、本発明を適用したディジタルカメラ（ 以下、単にカメラと表記する。）の背面図である。
カメラ１０１の背面には単一の画像表示部１０２が設けられる。この画像表示部１０２は、例えば、液晶ディスプレイ（ Ｌ Ｃ Ｄ ） で構成され、写真や動画および操作メニュー画面を表示する。
カメラ１０１の上面には、シャッターボタン１０３が配置されており、シャッターボタン１０３を押下することで、写真や動画を作成する。カメラ１０１の背面右上には、操作ボタン１０４が設けられ、操作メニュー画面上の選択や決定を行う。
カメラ１０１の背面右下には、指紋読取部１０５が形成されており、この指紋読取部１０５にユーザの指をかざすことで、ユーザ固有の指紋データをカメラ１０１内に登録したり、照合したりする。
カメラ１０１の側面には、赤外線通信部１０６が形成されており、他のカメラとの赤外線通信により、カメラ固有のＩＤ(以下、機器ＩＤと表記する。)を利用した写真の共有化を実現する。
また、電源スイッチ１０７を押下することで、カメラ１０１の電源はＯＦＦとなるが、１分間操作が無い場合も自動的に電源はＯＦＦとなる。
【００１２】
図２は、カメラ１０１の内部構成を示すブロック図である。
カメラ１０１は、主として、ＣＣＤ(撮像素子)２０１ 、撮像回路２０２ 、画像表示部２０３、通信インターフェース２０４、メモリ２０６、中央処理装置(ＣＰＵ)２０７、操作キー制御インターフェース２０８、指紋認証インターフェース２０９、赤外線インターフェース２１０等から構成され、これらの各要素は、図２に示したようにバス２１１を介して連結されている。
撮影された被写体像は、ＣＣＤ２０１において光電変換され、映像信号として順次読み出される。撮像回路２０２は信号処理部を含み、詳細な構成は図示していないが、周知の如く、ＣＤＳクランプ回路やゲイン調整回路等のアナログ処理回路、Ａ／Ｄ変換器、並びに、輝度信号生成回路、色差信号生成回路、及びガンマ補正経路等のディジタル画像処理回路等を含む。
【００１３】
読み出された映像信号は、前記撮像回路２０２において適宜処理され、例えば、Ｅｘｉｆ(Exchangeable Imagefile Format)ファイル規定や、その他の所定の形式に従ってメモリ２０６(例えば、カメラ内蔵のフラッシュメモリ)に記録される。
また、読み出された映像信号やメモリ２０６から読み出された映像信号は前記信号処理部で処理された後、画像表示部２０３に導かれ、画像表示部２０３の画面上に撮影画像が表示される。この画像表示部２０３には、シャッターレリーズ操作によって撮影した静止画のみならず、シャッターレリーズ操作前の映像(動画、或いは間欠画)も表示が可能である。
【００１４】
尚、このカメラ１０１は、公知の自動露出調整(ＡＥ)機能及びオートフォーカス(ＡＦ)機能を具備しており、撮影者がカメラを被写体に向けるだけで、最適な露出調整及びピント合わせが自動的に行われる。カメラ１０１は通信インターフェース２０４を介してコンピュータネットワークのサーバマシンと通信が可能であり、カメラ１０１で撮影した画像の画像データ等の情報をサーバコンピュータに送信することができるとともに、サーバコンピュータから画像データ等の情報を受信することができる。
操作キー制御インターフェース２０８は、カメラ１０１の筐体部に設けられたシャッターボタン１０３や操作ボタン１０４等の操作部から操作信号の入力を受ける。
【００１５】
指紋認証インターフェース２０９は、指紋読取部１０５の読取制御信号を送信するとともに、指紋読取部１０６で読取った指紋データの入力を受ける。
赤外線インターフェース２１０は、赤外線通信部０１０６の赤外線信号を送信・受信し、他のカメラと交信する。
ＣＰＵ２０７は、カメラ１０１の各回路を統括・制御するもので、操作キー制御インターフェース２０８から入力する信号に基づいて操作指示を判別して、操作に応じた制御を行うとともに、ズーミング、フォーカシング等の撮影を行うための制御、画像表示部２０３における表示制御、メモリ２０６へのデータの書き込み／読み出し制御、及びサーバコンピュータとの通信制御等を行う。
【００１６】
図３は、カメラ１０１内に登録されている指紋データを含むユーザ情報の一例を示す図である。
図に示すように、ユーザ情報は、登録者氏名３０１、登録／更新年月日３０２、区分３０３、データ３０４の各エリアデータから構成され、データ３０４によってユーザを特定する。
ユーザ情報の更新(新規登録および変更・参照・削除)は、初期設定における管理者データ登録、管理者変更処理およびメンバー登録処理から行うことができる。
尚、初期設定における管理者データ登録を除く、ユーザ情報の更新は、指紋読取部１０５から入力された指紋データが、登録されている管理者の指紋データと一致した場合のみ行える。
【００１７】
また、区分３０３の値は、管理者またはメンバーの２種類で、管理者のレコードは１件とする。これは、カメラ１０１の管理者は１人に限定し、管理者の許可なしにユーザ情報を更新することができないようにするためである。
ここで例えば、図３に示すように、管理者データとして、登録者氏名３０１に「日立 太郎」、登録／更新年月日３０２に「２０１０年２月１日」、区分３０３に「管理者」、データ３０４に「日立 太郎の指紋データ」が登録され、メンバーデータとして、登録者氏名３０１に「日立 花子」、登録／更新年月日３０２に「２０１０年２月１０日」、区分３０３に「メンバー」、データ３０４に「日立 花子の指紋データ」が登録されているとする。
登録者氏名３０１の「日立 花子」が、カメラ１０１の管理者に変更したい場合は、管理者変更処理（図７のステップ７０７）に示すように、変更前管理者の許可が必要となる(図８のステップ０８０１)。管理者変更が許可された場合は、ユーザ「日立 花子」の指紋認証を行う(図８のステップ０８０３)。
【００１８】
ユーザ「日立 花子」の指紋データは、データ３０４に登録されている「日立 花子の指紋データ」と一致するため、データ３０４の「日立 花子の指紋データ」における登録／更新年月日３０２を「更新した日付」に、区分３０３を「管理者」に変更する。また、カメラ１０１の管理者は１人に限定されるため、変更前管理者であった、登録者氏名３０１の「日立 太郎」における登録／更新年月日０３０２を「更新した日付」に、登録区分３０３は「メンバー」に変更される(図８のステップ０８０７)。
【００１９】
図４は、カメラ１０１内に登録されているフォルダ情報の一例を示す図である。
図に示すように、フォルダ情報は、フォルダ名４０１、登録／更新年月日４０２、機器ＩＤ４０３、管理者名４０４の各エリアデータから構成され、フォルダ名４０１と機器ＩＤ４０３によってフォルダを特定する。
フォルダの登録は、新規フォルダ登録処理(図７のステップ７０９)および共有フォルダ登録処理(図７のステップ７１０)から行うことができる。尚、フォルダの登録は、外部の画像データベースに登録されたフォルダと同期を取る必要があるため、通信状態可能なときのみ行える。
【００２０】
ここで例えば、２０１０年２月１０日に、カメラＡ(管理者は日立 太郎)で新規フォルダ登録処理(図７のステップ７０９)より、「北海道スキー旅行」を作成した場合、図４に示すように、カメラＡ内のフォルダ名４０１に「北海道スキー旅行」、登録／更新年月日４０２に「２０１０年２月１０日」、機器ＩＤ４０３に「カメラＡの機器ＩＤ」、管理者名４０４に「日立 太郎」が登録される(図１０のステップ１００２)。
また、カメラＢ(管理者は森野 熊子)には既にフォルダ名４０１に「北海道の旅」、登録／更新年月日４０２に「２０１０年２月１０日」、機器ＩＤ４０３に「カメラＢの機器ＩＤ」、管理者名４０４に「森野 熊子」が登録されていたとする。
カメラＡで共有フォルダ登録処理(図７のステップ７１０)より、カメラＢと通信し、カメラＢによる共有フォルダの承認がされた場合、図４に示すように、カメラＡ内のフォルダ名４０１に「北海道の旅」、登録／更新年月日４０２に「２０１０年２月１０日」、機器ＩＤ４０３に「カメラＢの機器ＩＤ」、管理者名４０４に「森野 熊子」が登録される(図１１のステップ１１０９)。
【００２１】
図５は、本発明の実施の形態に係る画像データ共有システムの概略構成を示すブロック図である。
カメラ５０１及び５０２は公衆電話回線網又は専用回線等の通信回線網５０３を介してサーバコンピュータ(外部サーバ)５０４と接続が可能となっている。サーバ５０４は、画像データベース(外部データベース)５０５に接続され、データベース５０５には、カメラ５０１や５０２で登録したフォルダ情報および撮影した画像データが登録されている。
【００２２】
尚、同図には複数のサーバコンピュータを含むコンピュータネットワークが示されているが、主に負荷分散のためであり、サーバの数は特に制限するものではなく、性能を考慮した台数分あればよい。同様に、同図には複数の画像データベースが示されているが、画像データベースの数は特に制限するものではなく、大量の画像データを蓄積可能な十分な容量を確保した台数分あればよい。
また、カメラ５０１、５０２は赤外線通信部１０６を備えており、例えば、カメラＡ５０１とカメラＢ５０２は、赤外線通信により、画像データベース５０５に登録された、フォルダの共有を可能とする。
【００２３】
図６は、データベース５０５に登録されているフォルダ情報の一例を示す図である。図に示すように、フォルダ情報は、フォルダ名６０１、登録／更新年月日６０２、管理者ＩＤ６０３、グループＩＤ６０４の、データ６０５の各エリアデータから構成され、フォルダ名６０１と管理者ＩＤ６０３によってフォルダを特定する。
フォルダの登録は、新規フォルダ登録処理(図７のステップ７０９)によって行われる。
フォルダのグループＩＤ登録は、共有フォルダ登録処理(図７のステップ７１０)によって行われる。フォルダの画像データ更新は、画像データ保存処理(図７のステップ７１１)、画像データ参照および削除処理(図７のステップ７１２)および本体データ転送処理(図７のステップ７１３)によって行われる。
【００２４】
ここで例えば、２０１０年２月１０日に、カメラＢで新規フォルダ登録処理(図７のステップ７０９)より、「北海道の旅」を作成した場合、図６に示すように、データベース５０５のフォルダ名６０１に「北海道の旅」、登録／更新年月日６０２に「２０１０年２月１０日」、管理者ＩＤ６０３に「カメラＢの機器ＩＤ」、グループＩＤ６０４に「未登録状態」、データ６０５に「未登録状態」が登録される(図１０のステップ１００２)。
カメラＡで共有フォルダ登録処理(図７のステップ７１０)より、カメラＢと通信し、カメラＢによる共有フォルダの承認がされた場合、図６に示すように、データベース５０５のフォルダ名６０１に「北海道の旅」および機器ＩＤ６０３に「カメラＢの機器ＩＤ」における、グループＩＤ６０４に「カメラＡの機器ＩＤ」が登録される(図１１のステップ１１０９)。
【００２５】
また、カメラＡの画像データ保存処理(図７のステップ７１１)より、カメラＡ内のフォルダ名４０１の「北海道の旅」に画像データを送信する場合、データベース５０５のフォルダ名６０１に「北海道の旅」および機器ＩＤ６０３に「カメラＢの機器ＩＤ」における、データ６０５に「画像データ」が登録される(図１２のステップ１２０５)。
【００２６】
図７は、カメラ１０１における電源ＯＮから電源ＯＦＦまでの処理の概要を示すフローチャートである。
初めに、カメラ１０１は、電源ＯＦＦの状態より、電源スイッチ１０７が押下されると、電源はＯＮとなる(ステップ７０１)。次に、カメラ１０１に管理者データが登録されているかを判別する(ステップ７０２)。管理者データが登録されている場合は、続いて指紋読取部１０５からユーザの指紋データを入力する(ステップ７０３)。
入力された指紋データが、カメラ１０１のユーザ情報におけるデータ３０４の指紋データに登録されているかを判別し(ステップ７０５)、登録されている場合は、カメラ１０１の機能を使用可能とする。
【００２７】
ステップ７０５の判別において、指紋データが登録されていない場合は、カメラ１０１の使用権限は無いため、電源はＯＦＦされる。
ステップ７０２の判別において、管理者データが登録されていない場合は、指紋読取部１０５より、指紋データを含む管理者登録を行う(ステップ７０４)。その後、カメラ１０１の機能を使用可能となる。
また、カメラの機能(ステップ７０６)は、管理者変更処理(ステップ７０７)、メンバー登録処理(ステップ７０８)、新規フォルダ登録処理(ステップ７０９)、共有フォルダ登録処理(ステップ７１０)、画像データ保存処理(ステップ７１１)、画像データ参照および削除処理(ステップ７１２)、本体データ転送処理(ステップ７１３)で構成されている。詳細は図８〜図１４に示す。
最後に、カメラ１０１の電源ＯＮの状態より、電源スイッチ１０７が押下されると、電源はＯＦＦとなる(ステップ７１４)。
【００２８】
図８は、管理者変更処理(ステップ７０７)の処理の詳細を示すフローチャートである。
初めに、現在の管理者の許可を確認するために、指紋読取部１０５からユーザの指紋データを入力する(ステップ８０１)。入力された指紋データが、カメラ１０１のユーザ情報における、区分３０３「管理者」のデータ３０４の指紋データと一致するかを判別する(ステップ８０２)。
一致した場合は、更に、現在の管理者情報を変更するか(例えば、婚約による登録者氏名３０１の変更)、または、別の管理者に移行するかを判別するため、指紋読取部１０５からユーザの指紋データを入力する(ステップ８０３)。
入力された指紋データが、カメラ１０１のユーザ情報における、区分３０３「管理者」のデータ３０４の指紋データと一致するかを判別する(ステップ８０４)。一致した場合は、管理者本人であるため、現在の管理者情報を変更する(ステップ８０５)。
【００２９】
ステップ８０４の判別において、入力された指紋データが、現在の管理者でなかった場合は、カメラ１０１のユーザ情報における、区分３０３「メンバー」のデータ３０４の指紋データに登録されているかを判別する(ステップ８０６)。
既にカメラ１０１に登録済であった場合は、現在の管理者の区分３０３「管理者」を「メンバー」に変更し、該当ユーザの区分３０３「メンバー」を「管理者」に変更する(ステップ８０７)。
ステップ８０６の判別において、該当ユーザの指紋データが登録されていなかった場合は、現在の管理者の区分３０３「管理者」を「メンバー」に変更し、該当ユーザを区分３０３「管理者」として、新規に登録する(ステップ８０８)。
また、ステップ８０２の判別において、入力された指紋データが現在の管理者でなかった場合は、管理者変更処理(ステップ７０７)の許可が無いため、処理を終了する。
【００３０】
図９は、メンバー更新処理(ステップ７０８)の処理の詳細を示すフローチャートである。
初めに、管理者の許可を確認するために、指紋読取部１０５からユーザの指紋データを入力する(ステップ９０１)。入力された指紋データが、カメラ１０１のユーザ情報における、区分３０３「管理者」のデータ３０４の指紋データと一致するかを判別する(ステップ９０２)。
【００３１】
一致した場合は、更に、現在のメンバー情報を参照・削除を行うか、または、メンバー情報を更新・登録するかを判別するため、指紋読取部０１０５からユーザの指紋データを入力する(ステップ９０３)。入力された指紋データが、カメラ１０１のユーザ情報における区分３０３「管理者」のデータ３０４の指紋データと一致するかを判別する(ステップ９０４)。
一致した場合は、管理者本人であるため、現在のメンバー情報を参照し、必要であれば、不要となったメンバー情報を削除する(ステップ９０５)。
ステップ９０４の判別において、入力された指紋データが、管理者でなかった場合は、カメラ１０１のユーザ情報における区分３０３「メンバー」のデータ３０４の指紋データに登録されているかを判別する(ステップ８０６)。
既にカメラ１０１に登録済であった場合は、該当ユーザのユーザ情報を変更する(ステップ９０７)。
ステップ９０６の判別において、該当ユーザの指紋データが登録されていなかった場合は、該当ユーザを新規に登録する(ステップ９０８)。また、ステップ９０２の判別において、入力された指紋データが現在の管理者でなかった場合は、メンバー更新処理(ステップ７０８)の許可が無いため、処理を終了する。
【００３２】
図１０は、新規フォルダ登録処理(ステップ７０９)の処理の詳細を示すフローチャートである。
新規フォルダ登録処理(ステップ７０９)は、カメラ１０１と外部データベース５０５と同期を取る必要があるため、カメラ１０１と外部サーバ５０４の通信状態が可能なときのみ行える。そのため、初めにカメラ１０１の通信状態を確認する(ステップ１００１)。
通信状態が可能であれば、カメラ１０１より、新規フォルダを登録する。このとき、カメラ１０１には、図４に示したフォルダ情報が登録され、外部データベース５０５には、図６に示したフォルダ情報が登録される(ステップ１００２)。
また、通信状態が不可能であれば、新規フォルダ登録処理(ステップ７０９)は行えないため、処理を終了する。
【００３３】
図１１は、共有フォルダ登録処理(ステップ７１０)の処理の詳細を示すフローチャートである。
共有フォルダ登録処理(ステップ７１０)は赤外線通信により、２台のカメラで処理が行われる。
初めに、カメラＡは、赤外線を送信し(ステップ１１０１)、カメラＢは、カメラＡからの赤外線を受信する(ステップ１１０２)。カメラＡとカメラＢの赤外線通信状態を確認し(ステップ１１０３)、カメラＡとカメラＢの赤外線通信が可能な状態であれば、カメラＢは、カメラＢの外部サーバ５０４への通信状態をカメラＡへ送信する(ステップ１１０４)。
次に、カメラＡとカメラＢの両方が、外部サーバ５０４への通信状態が可能であるかを確認する。これは、フォルダの更新は、カメラ１０１と外部データベース５０５と同期を取る必要があるためである(ステップ１１０５)。
【００３４】
カメラＡとカメラＢの両方が、外部サーバ５０５への通信状態が可能であれば、カメラＡには、カメラＢのフォルダ一覧が表示され、カメラＡは、共有したいフォルダを選択し、カメラＢへ依頼する(ステップ１１０６)。
カメラＢは、カメラＡの依頼に対して、カメラＡへ該当フォルダの共有可否を返す(ステップ１１０７)。
カメラＡは、該当フォルダの共有が承認されたかを確認し(ステップ１１０８)、承認された場合は、カメラＡには、図４に示したフォルダ情報が登録され、外部データベース５０５には、図６に示したフォルダ情報より、該当フォルダのグループＩＤ６０４に、カメラＡの機器ＩＤが登録される(ステップ１１０９)。
また、ステップ１１０３の判別において、赤外線通信相手が見つからない場合や、ステップ１１０５の判別において、両方のカメラが通信状態可能でない場合や、ステップ１１０８の判別において、カメラＢの共有フォルダの承認がされなかった場合は、処理を終了する。
【００３５】
図１２は、画像データ保存処理(ステップ７１１)の処理の詳細を示すフローチャートである。
初めに、カメラ１０１に登録されているフォルダ一覧が表示されるため、撮影した画像データの保存先フォルダを指定する(ステップ１２０１)。もし、ここで希望のフォルダが存在しない場合や、フォルダが何も登録されていない場合は、処理を終了する(ステップ１２０２)。この場合、新規フォルダ登録処理(ステップ７０９)又は、共有フォルダ登録処理(ステップ７１０)より、必要なフォルダを作成しておく。
フォルダを指定した場合は、撮影モードとなり、シャッターボタン１０３を押下し画像データを作成する(ステップ１２０３)。
続いて、カメラ１０１と外部サーバ５０４の通信状態を確認する(ステップ１２０４)。通信状態が可能であれば、撮影した画像データを外部データベース５０５の指定したフォルダへ保存する(ステップ１２０５)。
【００３６】
また、ステップ１２０４の判別において、通信状態が不可能の場合は、本体メモリ２０６の容量を確認し、本体メモリ２０６に、撮影した画像データが保存可能であるか判別する(ステップ１２０６)。
本体メモリ２０６へ保存可能であれば、撮影した画像データを本体メモリ２０６へ保存する(ステップ１２０７)。もし、本体メモリ２０６の空き容量がなければ、撮影した画像データは保存できないため、処理を終了する。
【００３７】
図１３は、画像データ参照および削除処理(ステップ７１２)の処理の詳細を示すフローチャートである。
初めに、カメラ１０１と外部サーバ５０４の通信状態を確認する(ステップ１３０１)。通信状態が可能であれば、図４に示すような、カメラ１０１に登録されたフォルダが存在していることを確認し(ステップ１３０２)、フォルダが存在していれば、フォルダ一覧が表示され、参照および削除したいフォルダを選択する(ステップ１３０３)。
続いて、選択されたフォルダが、機器ＩＤ４０３より、自分のフォルダであるかを確認する(ステップ１３０４)。自分のフォルダであれば、該当フォルダに保存されている画像データを参照や削除が行える(ステップ１３０５)。また、自分のフォルダでない場合は、該当フォルダに保存されている画像データを参照のみ行える(ステップ１３０６)。
【００３８】
また、ステップ１３０１の判別において、通信状態が不可能の場合や、ステップ１３０２の判別において、カメラ１０１にフォルダが何も登録されていない場合は、処理を終了する。
【００３９】
図１４は、本体データ転送処理(ステップ０７１３)の処理の詳細を示すフローチャートである。
初めに、カメラ１０１の本体メモリ２０６に画像データが保存されているかを確認し、保存されていない場合は、処理を終了する(ステップ１４０１)。
本体メモリ２０６に画像データが保存されている場合は、カメラ０１０１に登録されているフォルダ一覧が表示されるため、画像データの転送先フォルダを指定する(ステップ１４０２)。もし、ここで希望のフォルダが存在しない場合や、フォルダが何も登録されていない場合は、処理を終了する(ステップ１４０３)。この場合、新規フォルダ登録処理(ステップ７０９)又は、共有フォルダ登録処理(ステップ０１０)より、必要なフォルダを作成しておく。
【００４０】
フォルダを指定した場合は、本体メモリ２０６の画像データ一覧が表示されるため、外部データベース５０５へ転送したい画像を選択(複数選択可)する(ステップ１４０４)。
続いて、カメラ１０１と外部サーバ５０４の通信状態を確認する(ステップ１４０５)。通信状態が可能であれば、選択した画像データを外部データベース５０５の指定したフォルダへ保存する(ステップ１４０６)。
通信状態が不可能の場合は、処理を終了する。
【符号の説明】
【００４１】
１０１…ディジタルカメラ
１０２…画像表示部
１０５…指紋読取部
１０６…赤外線通信部
２０６…メモリ
２１０…赤外線インターフェース
５０３…通信回線網
５０４…サーバコンピュータ
５０５…画像データベース(外部データベース)
【図１】
2011199807.tif 000003
【図２】
2011199807.tif 000004
【図３】
2011199807.tif 000005
【図４】
2011199807.tif 000006
【図５】
2011199807.tif 000007
【図６】
2011199807.tif 000008
【図７】
2011199807.tif 000009
【図８】
2011199807.tif 000010
【図９】
2011199807.tif 000011
【図１０】
2011199807.tif 000012
【図１１】
2011199807.tif 000013
【図１２】
2011199807.tif 000014
【図１３】
2011199807.tif 000015
【図１４】
2011199807.tif 000016